(57)【要約】【課題】簡単な構成で、設置面に物品を取り付ける際に容易に位置決めを行うことが可能な物品取付具を提供する。【解決手段】平坦部１６の右上端部からは舌状の舌片１７が右方向に延出し、舌片１７には切り欠き部１８が形成されている。切り欠き部１８の幅寸法は、ビス１０５ａ，１０５ｂの軸部の径寸法よりも大きく設定されている。切り欠き部１８の深さ寸法は、ビス１０５ａ，１０５ｂの軸部の径寸法と同程度に設定されている。このため、舌片１７を取付プレート１０３と壁面１００との間に挿入した際に、切り欠き部１８をビス１０５ａに係合させる。物品取付具１を左右方向に移動させると、ビス１０５ａが切り欠き部１８の内壁面１８ａに当接して、これ以上の移動が規制される。すなわち、中央部１１と照明スイッチ１０１との相対位置を位置決めすることができる。【選択図】図１
2017144145.tif 000002
【特許請求の範囲】
【請求項１】
設置面に物品を取り付ける物品取付具であって、
前記物品が取り付けられる取付具本体と、
前記取付具本体を前記設置面に設置する位置である設置位置に配置された前記取付具本体から延出して、固定具を用いて前記設置面に固定された構造物である設置面構造物と前記設置面との間に挿入される形状を有する延出挿入部と、を備え、
前記延出挿入部には、前記設置面構造物と前記設置面との間で前記固定具に係合する形状を有する部位である位置決め部が設けられている
ことを特徴とする物品取付具。
【請求項２】
請求項１に記載の物品取付具であって、
前記延出挿入部には複数の前記位置決め部が設けられている
ことを特徴とする物品取付具。
【請求項３】
請求項１または請求項２に記載の物品取付具であって、
前記延出挿入部が複数存在する
ことを特徴とする物品取付具。
【請求項４】
請求項３に記載の物品取付具であって、
前記固定具が複数存在する場合に、
前記複数の延出挿入部が備える前記位置決め部のそれぞれが、前記複数の固定具のそれぞれを係合する
ことを特徴とする物品取付具。
【発明の詳細な説明】
【技術分野】
【０００１】
本発明は、設置面に物品を取り付ける物品取付具に関する。
【背景技術】
【０００２】
リモコンホルダや掃除機の充電器などの物品を壁面に取り付ける場合には、ネジを用いて壁面に取り付けることが一般的である。
この場合、ネジ止めするための孔を壁面に設ける必要があるために壁面に傷が残り、物品を取り外した後の壁面の見映えが良くないという問題があった。
【０００３】
このため、壁面に設けられたコンセントボックスなどの構造物を利用して物品を取り付ける技術が提案されている。例えば、特許文献１には、ベースプレートから延出する部位である一対の周縁部を、壁面とコンセントボックスのユニットプレートとの隙間に挿入した後、ユニットプレートのネジを締め直し、挟持されたベースプレートの保持構造部に物品を取り付けることにより物品を壁面に取り付ける技術が開示されている。
【先行技術文献】
【特許文献】
【０００４】
【特許文献１】特開２０１５−１４１８７０号公報
【発明の概要】
【発明が解決しようとする課題】
【０００５】
しかし、上記特許文献１に記載の技術では、ユニットプレートのネジを締め直すまでは、ベースプレートの周縁部がユニットプレートと壁面との間で圧接されず、ベースプレートが左右方向に移動可能であるため、ベースプレートの左右方向の位置決めが容易ではない。
【０００６】
なお、特許文献１には、上下の周縁部のそれぞれをユニットプレートと壁面との間に挿入した後に、上下の周縁部の端部同士を別部材である枠部で連結する技術が開示されている。この技術によれば、上下の周縁部の端部同士を枠部で連結することにより、保持構造部および枠部が左右方向にベースプレートが移動することを阻止し、ベースプレートの左右方向の位置決めを行うことができる。
【０００７】
しかし、上記技術では、枠部を別途用意する必要があるため、部品点数が増加する。また、枠部がベースプレートから外れたり紛失したりするおそれもある。
本発明は、こうした問題にかんがみてなされたものであり、簡単な構成で、設置面に物品を取り付ける際に容易に位置決めを行うことが可能な物品取付具を提供することを目的としている。
【課題を解決するための手段】
【０００８】
本発明の物品取付具は、取付具本体と、延出挿入部と、を備える。
取付具本体は、物品が取り付けられる。
延出挿入部は、取付具本体を設置面に設置する位置である設置位置に配置された取付具本体から延出して、固定具を用いて設置面に固定された構造物である設置面構造物と設置面との間に挿入される形状を有する。
【０００９】
延出挿入部には位置決め部が設けられている。
位置決め部は、設置面構造物と設置面との間で固定具に係合する形状を有する部位である。
【００１０】
このように構成すれば、当該物品取付具が設置面へ設置される際の位置決めが可能となる。さらに、上述のような位置決め部が延出挿入部に設けられている。このため、上下の周縁部の端部同士を別部材である枠部で連結する特許文献１の技術とは異なり、別部材を別途用意する必要がなく、部品点数も増加しない。また、別部材が当該物品取付具から外れたり紛失したりするおそれもない。
【００１１】
したがって、本発明の物品取付具によれば、簡単な構成で、設置面に物品を取り付ける際に容易に位置決めを行うことができる。
本発明の物品取付具においては、延出挿入部には複数の位置決め部が設けられているとよい。このように構成すれば、位置決め部の数量と同数の設置位置が存在することとなり、複数の設置位置から物品取付具を設置する位置を選択することができる。
【００１２】
本発明の物品取付具においては、延出挿入部が複数存在するとよい。このように構成すれば、延出挿入部の数量と同数の設置位置が存在することとなる。延出挿入部に複数の位置決め部が設けられている場合には、延出挿入部の数量よりも多い数量の設置位置が存在することとなる。このため、複数の設置位置から物品取付具を設置する位置を選択することができる。
【００１３】
本発明の物品取付具においては、固定具が複数存在する場合に、複数の延出挿入部が備える位置決め部のそれぞれが、複数の固定具のそれぞれを係合するとよい。このように構成すれば、固定具に係合された位置決め部を中心として、物品取付具を回転させようとする力に対する耐性が高まり、より重量の大きい物品を物品取付具に取り付けることができる。
【図面の簡単な説明】
【００１４】
【図１】第１実施形態の物品取付具１の構成図である。
【図２】第２実施形態の物品取付具２の構成図である。
【図３】第３実施形態の物品取付具３の構成図である。
【発明を実施するための形態】
【００１５】
以下、図面を参照しながら、発明を実施するための形態を説明する。以下の説明においては、物品取付具１を構成する各部の相対的な位置関係を簡潔に説明するために、図中に併記した上下左右前後の各方向を利用して説明を行う。
【００１６】
［１．第１実施形態］
［１−１．構成］
図１に示す物品取付具１は、設置面としての壁面１００にリモコンホルダや掃除機の充電器などの物品を取り付けるのに用いられる。本実施形態では、物品取付具１は、ステンレス鋼などの金属の薄板をプレス加工することによって成形されている。物品取付具１は、水平方向の線分に対して線対称となるよう形成されている。
【００１７】
本実施形態では、壁面１００に取り付けられた照明スイッチ１０１を利用して、物品取付具１を壁面１００に取り付ける例を示す。照明スイッチ１０１は、取付プレート１０２と、スイッチボックス１０３と、カバープレート１０４と、を備える。取付プレート１０２は、壁面１００の開口部１００ａに取り付けられている。取付プレート１０２には、２つの貫通孔１０２ａ，１０２ｂが形成されている。スイッチボックス１０３は、取付プレート１０２の背後に配置されている。スイッチボックス１０３には、ネジ孔１０３ａ，１０３ｂが形成されている。スイッチボックス１０３は、貫通孔１０２ａ，１０２ｂに挿通されたビス１０５ａ，１０５ｂをネジ孔１０３ａ，１０３ｂに螺合させることで、取付プレート１０２に固定されている。カバープレート１０４は、取付プレート１０２の前面側に着脱可能である。
【００１８】
物品取付具１の中央部１１は、平板状で平面視方形に形成されている。中央部１１には、縦長の開口部１２が形成されている。中央部１１の左側には、左方向に行くに従って後方に傾斜する傾斜部１３が形成されている。傾斜部１３の左側には、返し１４が形成されている。中央部１１の右側は、右方向に行くに従って後方に傾斜する傾斜部１５となっている。傾斜部１５の右側は、平坦な平坦部１６となっている。
【００１９】
このような構成により、物品取付具１を壁面１００に設置した際に、壁面１００と中央部１１との間には空間が形成される。したがって、中央部１１には、開口部１２を利用して物品を取り付けることができる。一例を挙げると、開口部１２を背面側から挿通させたビスを、リモコンホルダや掃除機の充電器などの物品に螺合させることで、中央部１１に物品を取り付けるといった具合である。また、ハンガーなどの物品のフックを開口部１２に引っ掛けることで、中央部１１に物品を取り付けることもできる。
【００２０】
平坦部１６の右上端部からは舌状の舌片１７が右方向に延出している。平坦部１６の右下端部からは舌状の舌片１９が右方向に延出している。舌片１７と舌片１９とは、図中でいう上下方向について対称な形状に形成されている。舌片１７は、中央部１１が照明スイッチ１０１の左側にある場合に、取付プレート１０２と壁面１００との間に挿入される形状を有する。本実施形態では、照明スイッチ１０１の左側が設置位置に該当する。他にも、照明スイッチ１０１の右側や照明スイッチ１０１の上側、照明スイッチ１０１の下側などを設置位置として設定してもよい。舌片１７には、切り欠き部１８が形成されている。切り欠き部１８は、舌片１７の下側の端面１７ａから舌片１７の内部に向けて形成されている。切り欠き部１８の幅寸法は、ビス１０５ａ，１０５ｂの軸部の径寸法よりも大きく設定されている。切り欠き部１８の深さ寸法は、ビス１０５ａ，１０５ｂの軸部の径寸法と同程度に設定されている。このため、切り欠き部１８には、舌片１７を取付プレート１０２と壁面１００との間に挿入した際に、ビス１０５ａまたはビス１０５ｂを係合させることができる。舌片１９に設けられた切り欠き部２０についても切り欠き部１８と同様の構成を有する。
【００２１】
中央部１１は、取付具本体に該当する。舌片１７，１９は、延出挿入部に該当する。切り欠き部１８，２０は、位置決め部に該当する。
［１−２．取付手順］
次に、物品取付具１を、照明スイッチ１０１を利用して壁面１００に取り付ける手順について説明する。
【００２２】
カバープレート１０４を取付プレート１０２から取り外す。取付プレート１０２にスイッチボックス１０３を固定している二本のビス１０５ａ，１０５ｂを緩める。取付プレート１０２と壁面１００との間の隙間を広げる。
【００２３】
物品取付具１を照明スイッチ１０１の左側に配置する場合には、舌片１７が舌片１９に対して上側となり且つ舌片１７および舌片１９が中央部１１に対して右側となる姿勢で、物品取付具１を取付プレート１０２の左側に配置する。
【００２４】
物品取付具１を右方向に移動させて、取付プレート１０２と壁面１００との間の隙間に舌片１７，１９を挿入させる。切り欠き部１８がビス１０５ａの上方となり且つ切り欠き部２０がビス１０５ｂの下方となるまで、物品取付具１を右方向に移動させる。物品取付具１を下方に移動させ、切り欠き部１８にビス１０５ａを係合させる。物品取付具１を左右方向に移動させると、ビス１０５ａが切り欠き部１８の内壁面１８ａに当接して、これ以上の移動が規制される。すなわち、中央部１１と照明スイッチ１０１との相対位置を位置決めすることができる。
【００２５】
切り欠き部１８をビス１０５ａに係合させたら、二本のビス１０５ａ，１０５ｂを締める。取付プレート１０２と壁面１００との間の隙間が狭まり、取付プレート１０２と壁面１００との間に舌片１７，１９が挟まれて固定される。カバープレート１０４を取付プレート１０２に取り付ける。
【００２６】
物品取付具１を照明スイッチ１０１の右側に配置する場合には、舌片１９が舌片１７に対して上側となり且つ舌片１７および舌片１９が中央部１１に対して左側となる姿勢で、物品取付具１を取付プレート１０２の右側に配置し、上述の物品取付具１を照明スイッチ１０１の左側に配置する場合と同様の手順で、照明スイッチ１０１を利用して壁面１００に取り付ける。
【００２７】
物品取付具１を、壁面１００から取り外す場合には、上述の物品取付具１を壁面１００に取り付ける手順を逆に行う。
［１−３．効果］
以上詳述した第１実施形態によれば、以下の効果が得られる。
【００２８】
（１）物品取付具１においては、平坦部１６の右上端部からは舌状の舌片１７が右方向に延出し、舌片１７には切り欠き部１８が形成されている。舌片１７を取付プレート１０２と壁面１００との間に挿入した際に、切り欠き部１８をビス１０５ａに係合させる。物品取付具１を左右方向に移動させると、ビス１０５ａが切り欠き部１８の内壁面１８ａに当接して、これ以上の移動が規制される。すなわち、中央部１１と照明スイッチ１０１との相対位置を位置決めすることができる。また、上述のような切り欠き部１８が舌片１７に設けられている。このため、上下の周縁部の端部同士を別部材である枠部で連結する特許文献１の技術とは異なり、別部材を別途用意する必要がなく、部品点数も増加しない。また、別部材が当該物品取付具から外れたり紛失したりするおそれもない。切り欠き部２０をビス１０５ａに係合させた場合も同様である。したがって、簡単な構成で、壁面１００に物品を取り付ける際に容易に位置決めを行うことができる。
【００２９】
（２）物品取付具１においては、舌片１７，１９を備えることから、延出挿入部が複数存在し、延出挿入部と同数の設置位置が存在する。このことにより、物品取付具１を壁面１００に設置する設置位置を複数候補から選択することができる。
【００３０】
（３）物品取付具１においては、舌片１７と舌片１９とが、図中でいう上下方向について対称な形状に形成されている。物品取付具１を照明スイッチ１０１の左側に配置する場合には切り欠き部１８をビス１０５ａに係合させ、物品取付具１を照明スイッチ１０１の右側に配置する場合には、切り欠き部２０をビス１０５ａに係合させる。このため、設置面構造物としての照明スイッチ１０１を挟んだ両側のそれぞれが設置位置となる。このことにより、物品取付具１を壁面１００に設置する設置位置を、設置面構造物を挟んだ両側のそれぞれの設置位置から選択することができる。
【００３１】
［２．第２実施形態］
［２−１．第１実施形態との相違点］
第２実施形態は、基本的な構成は第１実施形態と同様であるため、共通する構成については説明を省略し、相違点を中心に説明する。なお、第１実施形態と同じ符号は、同一の構成を示すものであって、先行する説明を参照する。
【００３２】
前述した第１実施形態の物品取付具１では、図１に示すように、舌片１７には切り欠き部１８が形成されている。これに対し、第２実施形態の物品取付具２では、図２に示すように、舌片１７には一対の突起部２１，２２が形成されるとともに、一対の突起部２１，２２の間に凹部２３が形成され、一対の突起部２１，２２の右側に凹部２４が形成されている。突起部２１，２２は、端面１７ａから下方向に向けて延出するように形成されている。突起部２１，２２のそれぞれの高さ寸法は、ビス１０５ａ，１０５ｂの軸部の径寸法と同程度に設定されている。凹部２３，２４は、端面１７ａから舌片１７の内部に向けて形成されている。凹部２３，２４のそれぞれの幅寸法は、ビス１０５ａ，１０５ｂの軸部の径寸法よりも大きく設定されている。凹部２３，２４のそれぞれの深さ寸法は、ビス１０５ａ，１０５ｂの軸部の径寸法と同程度に設定されている。このため、凹部２３，２４のそれぞれには、舌片１７を取付プレート１０２と壁面１００との間に挿入した際に、ビス１０５ａまたはビス１０５ｂを嵌め込ませることができる。突起部２１と突起部２２との間の幅寸法は、凹部２３の幅寸法にビス１０５ａ，１０５ｂの軸部の径寸法を加えた値よりも大きく設定されている。このため、一対の突起部２１，２２の間には、舌片１７を取付プレート１０２と壁面１００との間に挿入した際に、ビス１０５ａまたはビス１０５ｂを入り込ませることができる。舌片１９についても舌片１７と同様の構成を有する。
【００３３】
前述した第１実施形態の物品取付具１では、図１に示すように、中央部１１には、縦長の開口部１２が形成されている。これに対し、第２実施形態の物品取付具２では、図２に示すように、中央部１１には、縦長の開口部２９，３０が上下方向に並べて形成されている。
【００３４】
突起部２１，２２，２５，２６は、位置決め部に該当する。
［２−２．取付手順］
次に、物品取付具２を、照明スイッチ１０１を利用して壁面１００に取り付ける手順について説明する。
【００３５】
カバープレート１０４を取付プレート１０２から取り外す。取付プレート１０２にスイッチボックス１０３を固定している二本のビス１０５ａ，１０５ｂを緩める。取付プレート１０２と壁面１００との間の隙間を広げる。
【００３６】
物品取付具２を照明スイッチ１０１の左側に配置する場合には、舌片１７が舌片１９に対して上側となり且つ舌片１７および舌片１９が中央部１１に対して右側となる姿勢で、物品取付具２を取付プレート１０２の左側に配置する。物品取付具２を右方向に移動させて、取付プレート１０２と壁面１００との間の隙間に舌片１７，１９を挿入させる。ビス１０５ａが突起部２２に当接するとともにビス１０５ｂが突起部２６に当接するまで、物品取付具２を右方向に移動させる。物品取付具２を上方向に移動させ、凹部２８にビス１０５ｂを嵌り込ませる。物品取付具２を図中でいう時計回りに凹部２８を中心にして回転させ、凹部２３をビス１０５ａの上方に位置させる。物品取付具２を下方向に移動させ、凹部２８とビス１０５ｂとの係合状態を解除させるとともに、凹部２３にビス１０５ａを嵌り込ませる。物品取付具２を図中でいう反時計回りに凹部２３を中心にして回転させ、凹部２７をビス１０５ｂの下方に位置させる。物品取付具２を上方向に移動させ、凹部２３とビス１０５ａとの係合状態を解除させる。物品取付具２を右方向に移動させ、一対の突起部２１，２２の間の端面１７ｂを載置させる。物品取付具２を左右方向に移動させると、ビス１０５ａが一対の突起部２１，２２の何れかに当接するか、ビス１０５ｂが一対の突起部２５，２６の何れかに当接して、これ以上の移動が規制される。すなわち、中央部１１と照明スイッチ１０１との相対位置を位置決めすることができる。
【００３７】
一対の突起部２１，２２の間にビス１０５ａを係合させたら、二本のビス１０５ａ，１０５ｂを締める。取付プレート１０２と壁面１００との間の隙間が狭まり、取付プレート１０２と壁面１００との間に舌片１７，１９が挟まれて固定される。カバープレート１０４を取付プレート１０２に取り付ける。
【００３８】
物品取付具２を照明スイッチ１０１の右側に配置する場合には、舌片１９が舌片１７に対して上側となり且つ舌片１７および舌片１９が中央部１１に対して左側となる姿勢で、物品取付具２を取付プレート１０２の右側に配置し、上述の物品取付具２を照明スイッチ１０１の左側に配置する場合と同様の手順で、照明スイッチ１０１を利用して壁面１００に取り付ける。
【００３９】
物品取付具２を、壁面１００から取り外す場合には、上述の物品取付具２を壁面１００に取り付ける手順を逆に行う。
［２−３．効果］
以上詳述した第２実施形態によれば、前述した第１実施形態の効果に加え、以下の効果が得られる。
【００４０】
（１）物品取付具２を照明スイッチ１０１の左側に配置する場合に、二本のビス１０５ａ，１０５ｂを緩めた状態で、物品取付具２が傾いた場合であっても、一対の突起部２１，２２がビス１０５ａを乗り越えにくく、物品取付具２が照明スイッチ１０１から取り外れにくい。物品取付具２を照明スイッチ１０１の右側に配置する場合でも同様の効果が得られる。
【００４１】
［３．第３実施形態］
［３−１．第１実施形態との相違点］
第３実施形態は、基本的な構成は第１実施形態と同様であるため、共通する構成については説明を省略し、相違点を中心に説明する。なお、第１実施形態と同じ符号は、同一の構成を示すものであって、先行する説明を参照する。
【００４２】
前述した第１実施形態の物品取付具１では、図１に示すように、平板状で平面視方形に形成された中央部１１を備えている。これに対し、第３実施形態の物品取付具３では、図３に示すように、平板状で平面視方形に形成された中央部３１を備える点は同様であるが、中央部３１の上下方向の長さ寸法が、中央部１１の上下方向の長さ寸法に比べて大きく設定されている。
【００４３】
前述した第１実施形態の物品取付具３では、図１に示すように、中央部１１には、縦長の開口部１２が形成されている。これに対し、第３実施形態の物品取付具３では、図３に示すように、中央部３１には、縦長の開口部３２，３３が上下方向に並べて形成されている。
【００４４】
前述した第１実施形態の物品取付具１では、図１に示すように、舌片１７には切り欠き部１８が形成されている。これに対し、第３実施形態の物品取付具３では、図３に示すように、舌片１７には３つの凹部３４，３５，３６が形成されている。凹部３４，３５，３６は、端面１７ａから舌片１７の内部に向けて形成されている。凹部３４，３５，３６のそれぞれの幅寸法は、ビス１０５ａ，１０５ｂの軸部の径寸法よりも大きく設定されている。凹部３４，３５，３６のそれぞれの深さ寸法は、ビス１０５ａ，１０５ｂの軸部の径寸法と同程度に設定されている。このため、凹部３４，３５，３６には、舌片１７を取付プレート１０２と壁面１００との間に挿入した際に、ビス１０５ａまたはビス１０５ｂを嵌め込ませることができる。舌片１９についても舌片１７と同様の構成を有する。
【００４５】
中央部３１は、取付具本体に該当する。凹部３４，３５，３６，３７，３８，３９は、位置決め部に該当する。
［３−２．取付手順］
次に、物品取付具３を、照明スイッチ１０１を利用して壁面１００に取り付ける手順について説明する。
【００４６】
カバープレート１０４を取付プレート１０２から取り外す。取付プレート１０２にスイッチボックス１０３を固定している二本のビス１０５ａ，１０５ｂを取り外す。なお、上側のビス１０５ａを緩め、下側のビス１０５ｂを取り外すようにしてもよい。
【００４７】
物品取付具３を照明スイッチ１０１の左側に配置する場合には、舌片１７が舌片１９に対して上側となり且つ舌片１７および舌片１９が中央部１１に対して右側となる姿勢で、物品取付具３を取付プレート１０２の左側に配置する。
【００４８】
物品取付具３を右方向に移動させて、取付プレート１０２と壁面１００との間の隙間に舌片１７，１９を挿入させる。凹部３５が貫通孔１０２ａおよびネジ孔１０３ａと連通し且つ凹部３８が貫通孔１０２ｂおよびネジ孔１０３ｂと連通するまで、物品取付具３を右方向に移動させる。上側のビス１０５ａを緩めた場合には、凹部３５にビス１０５ａが嵌り込むようにする。ビス１０５ａを貫通孔１０２ａおよび凹部３４に挿入した後にネジ孔１０３ａに螺合させて凹部３５をビス１０５ａに係合させるとともに、ビス１０５ｂを貫通孔１０２ｂおよび凹部３８に挿入した後にネジ孔１０３ｂに螺合させて凹部３８をビス１０５ｂに係合させる。上側のビス１０５ａを緩めた場合には、ビス１０５ａを締める。すなわち、中央部１１と照明スイッチ１０１との相対位置を位置決めすることができる。カバープレート１０４を取付プレート１０２に取り付ける。
【００４９】
凹部３５，３８の左側にある凹部３４，３７を用いて、その分物品取付具３を左側に位置決めしてもよい。凹部３５，３８の右側にある凹部３６，３９を用いて、その分物品取付具３を右側に位置決めしてもよい。
【００５０】
物品取付具３を照明スイッチ１０１の右側に配置する場合には、舌片１９が舌片１７に対して上側となり且つ舌片１７および舌片１９が中央部１１に対して左側となる姿勢で、物品取付具３を取付プレート１０２の右側に配置し、上述の物品取付具３を照明スイッチ１０１の左側に配置する場合と同様の手順で、照明スイッチ１０１を利用して壁面１００に取り付ける。
【００５１】
物品取付具３を、壁面１００から取り外す場合には、上述の物品取付具３を壁面１００に取り付ける手順を逆に行う。
［３−３．効果］
以上詳述した第３実施形態によれば、前述した第１実施形態の効果に加え、以下の効果が得られる。
【００５２】
（１）物品取付具３を照明スイッチ１０１の左側に配置する場合に、凹部３５をビス１０５ａに係合させるとともに凹部３８をビス１０５ｂに係合させるので、物品取付具３を図中でいう時計回りまたは反時計回りに回転させようとする力に対する耐性が高まり、より重量の大きい物品を中央部３１に取り付けることができる。物品取付具３を照明スイッチ１０１の右側に配置する場合でも同様の効果が得られる。
【００５３】
（２）舌片１７には位置決め部として凹部３４，３５，３６が形成されるとともに、舌片１９には位置決め部として凹部３７，３８，３９が形成されるので、複数の設置位置から物品取付具３を設置する位置を選択することができる。
【００５４】
［４．他の実施形態］
以上、本発明を実施するための形態について説明したが、本発明は上述の実施形態に限定されることなく、種々変形して実施することができる。
【００５５】
（１）上記実施形態では、位置決め部を有する延出挿入部を二つ備えるが、これに限定されるものではない。例えば、位置決め部を有する延出挿入部を一つ備えるようにしてもよい。また、位置決め部を有する延出挿入部を三つ以上備えるようにしてもよい。
【００５６】
（２）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【００５７】
１，２，３…物品取付具、１１，３１…中央部、１２，２９，３０，３２，３３…開口部、１３，１５…傾斜部、１４…返し、１６…平坦部、１７，１９…舌片、１７ａ，１７ｂ，１９ａ…端面、１８，２０…切り欠き部、１８ａ，２０ａ…内壁面、２１，２２，２５，２６…突起部、２３，２４，２７，２８，３４，３５，３６，３７，３８，３９…凹部、１００…壁面、１００ａ…開口部、１０１…照明スイッチ、１０２…取付プレート、１０２ａ，１０２ｂ…貫通孔、１０３…スイッチボックス、１０３ａ，１０３ｂ…ネジ孔、１０４…カバープレート、１０５ａ，１０５ｂ…ビス。
【図１】
2017144145.tif 000003
【図２】
2017144145.tif 000004
【図３】
2017144145.tif 000005